(57)【要約】  配合供給ガンは、ガン本体と、第１成分注入口と、第２成分注入口と、配合ヘッド部と、第１バルブと、第２バルブと、挟持部材と、トリガとを備える。第１成分注入口及び第２成分注入口はガン本体に取り付けられ、第１成分及び第２成分を注入する。配合ヘッド部は、第１成分及び第２成分を配合して供給する。第１バルブ及び第２バルブはガン本体に取り付けられ、第１成分及び第２成分の供給を制御するバルブステムを有する。挟持部材は上部部材及び下部部材を有し、上部部材と下部部材との間は第１バルブステム及び第２バルブステムが配置される。第１バルブステム及び第２バルブステムが、これらバルブステムの軸線と平行な方向へのバルブアクチュエータの移動によって移動するように、上部部材及び下部部材が取り付けられる。トリガはガン本体に取り付けられ、挟持部材の移動を制御する。【選択図】図１
2013512766.tif 000002
【特許請求の範囲】
【請求項１】
ガン本体と、
前記ガン本体に取り付けられ、第１成分を注入する第１成分注入口と、
前記ガン本体に取り付けられ、第２成分を注入する第２成分注入口と、
前記第１成分と前記第２成分とを配合して供給する配合ヘッド部と、
前記配合ヘッド部への前記第１成分の流動を制御する第１バルブステムを有して前記ガン本体に取り付けられる第１バルブと、
前記第１バルブステムと平行な、前記配合ヘッド部への前記第２成分の流動を制御する第２バルブステムを有して前記ガン本体に取り付けられる第２バルブと、
第１の部分と第２の部分とを有し、前記第１の部分と前記第２の部分との間に前記第１バルブステムと前記第２バルブステムとが配置され、前記第１バルブステム及び前記第２バルブステムの軸線と平行な方向に動く挟持部材と、
揺動可能に前記ガン本体に取り付けられ、前記挟持部材の動きを制御するトリガと、を備え、
前記挟持部材は、前記挟持部材の移動によって、前記第１バルブステムと前記第２バルブステムとが移動するように前記第１の部分が前記第２の部分に取り付けられていることを特徴とする配合供給ガン。
【請求項２】
前記第１バルブステムと平行な、加圧流体の供給を制御する第３バルブステムを有して前記ガン本体に取り付けられる第３バブルをさらに備え、
前記第３バルブステムは、前記挟持部材の移動によって移動するように、前記挟持部材の第１の部分と第２の部分との間に配置されることを特徴とする請求項１に記載の配合供給ガン。
【請求項３】
前記挟持部材の一方向への移動により、前記第１バルブと前記第２バルブとの両方が開くことを特徴とする請求項１に記載の配合供給ガン。
【請求項４】
前記第１バルブと前記第２バルブとは、同じ開度で開くことを特徴とする請求項３に記載の配合供給ガン。
【請求項５】
前記第１バルブステムの一部と前記第２バルブステムの一部とは、２つの対向する平面と、２つの対向する湾曲面とからなる４面形状であることを特徴とする請求項１に記載の配合供給ガン。
【請求項６】
前記挟持部材は、
前記第１の部分と前記第２の部分との間に延設され、前記第１バルブステムを収容する第１バルブステムスロットと、
前記第１の部分と前記第２の部分との間に延設され、前記第２バルブステムを収容する第２バルブステムスロットと、
を備えることを特徴とする請求項１に記載の配合供給ガン。
【請求項７】
前記挟持部材の前記第１の部分と前記第２の部分とは、ねじ止め部材で組み付けられることを特徴とする請求項１に記載の配合供給ガン。
【請求項８】
前記第１バルブステム及び前記第２バルブステムと平行であり、前記ガン本体にスライド可能に配置され、第１端部が前記トリガのカム面に接し、第２端部が前記挟持部材に接する互いに平行な複数の押しピンをさらに備えることを特徴とする請求項１に記載の配合供給ガン。
【請求項９】
前記第１バルブステムと、前記第２バルブステムと、前記複数の押しピンとは、同一平面上にあることを特徴とする請求項８に記載の配合供給ガン。
【請求項１０】
前記挟持部材は、前記複数の押しピンと前記挟持部材との間の接点位置を調整する複数の止めねじを有することを特徴とする請求項９に記載の配合供給ガン。
【請求項１１】
第１成分の供給を制御する第１バルブステムを有する第１バルブと、
前記第１バルブステムと平行な、第２成分の供給を制御する第２バルブステムを有する第２バルブと、
前記第１バルブステムと前記第２バルブステムとに固定され、前記第１バルブステムと前記第２バルブステムとを共に動かすことによって前記第１バルブと前記第２バルブとを開くバルブアクチュエータとを備え、
前記バルブアクチュエータは、
前記第１バルブステムに対応する形状を有して、前記第１バルブステムと平行に設けられ、前記第１バルブステムに前記バルブアクチュエータを取り付ける第１スロットと、
前記第２バルブステムに対応する形状を有して、前記第２バルブステムと平行に設けられ、前記第２バルブステムに前記バルブアクチュエータを取り付ける第２スロットと、
前記バルブアクチュエータの第１端部側に設けられ、第１止めねじを収容し、前記第１バルブステムと平行な第１孔と、
前記バルブアクチュエータの第２端部側に設けられ、前記バルブアクチュエータの前記第１孔とは反対側にあって、第２止めねじを収容し、前記第１孔と平行な第２孔と、
を備えることを特徴とするバルブ組立体。
【請求項１２】
前記第１バルブステムと前記第２バルブステムとが同じ距離移動するように前記バルブアクチュエータを移動させるトリガをさらに備えることを特徴とする請求項１１に記載のバルブ組立体。
【請求項１３】
前記第１バルブと前記第２バルブとは、前記トリガの動きによって同時に開かれることを特徴とする請求項１２に記載のバルブ組立体。
【請求項１４】
前記トリガは、
前記第１止めねじに接する第１押しピンに対して作用する第１カムと、
前記第２止めねじに接する第２押しピンに対して作用する第２カムと、
を有することを特徴とする請求項１２に記載のバルブ組立体。
【請求項１５】
前記トリガは、前記第１バルブステム及び前記第２バルブステムの長手方向で規定される平面に平行な軸の周りに揺動するように動くことを特徴とする請求項１２に記載のバルブ組立体。
【請求項１６】
前記第１バルブステムの一部と、前記第２バルブステムの一部とは、２つの対向する平面と、２つの対向する湾曲面とからなる４面形状であることを特徴とする請求項１１に記載のバルブ組立体。
【請求項１７】
前記バルブアクチュエータは、接合面に前記第１スロットと前記第２スロットとを形成して、ねじ止め部材によって互いに固定される上部部材と下部部材とを備えることを特徴とする請求項１１に記載のバルブ組立体。
【請求項１８】
第１カムと第２カムとを有するトリガと、
第１成分の供給を制御する第１バルブステムを有する第１バルブと、
前記第１バルブステムと平行な、第２成分の供給を制御する第２バルブステムを有する第２バルブと、
前記第１バルブステムのための第１スロット、及び前記第２バルブステムのための第２スロットを有する第１の部分、並びに前記第１スロット内に前記第１バルブステムを固定し、前記第２スロット内に前記第２バルブステムを固定した前記第１の部分に組み付けられる第２の部分を有するバルブアクチュエータと、
前記第１バルブステムと平行に設けられ、前記第１カム及び前記バルブアクチュエータに接する第１押しピンと、
前記第１押しピンと平行に設けられ、前記第２カム及び前記バルブアクチュエータに接する第２押しピンと、
を備えることを特徴とするバルブ組立体。
【請求項１９】
前記第１バルブステム、前記第２バルブステム、前記第１スロット、前記第２スロット、前記第１押しピン、及び前記第２押しピンは同一平面にあることを特徴とする請求項１８に記載のバルブ組立体。
【請求項２０】
前記バルブアクチュエータの前記第１の部分と前記第２の部分との間の接合面は、前記第１バルブステムと前記第２バルブステムとの長手方向に形成される平面と平行な平面であることを特徴とする請求項１９に記載のバルブ組立体。
【発明の詳細な説明】
【技術分野】
【０００１】
本発明は、複数成分配合供給装置に係り、より詳しくは、複数成分配合供給ガンにおけるバルブアクチュエータに関する。
【背景技術】
【０００２】
一般的に、本発明に関連するタイプの複数成分には、単体では化学的に不活性な樹脂または単体では化学的に不活性なゲルコート成分や、同じく単体では化学的に不活性な触媒成分が含まれる。この２つの成分を化合させるとすぐに化学反応が始まり、混合物の架橋結合、硬化、そして凝固に至る。
【発明の概要】
【発明が解決しようとする課題】
【０００３】
最適な最終生成物を得るために、２つの成分は適切な比率で供給される必要がある。このような比率は、供給開始から供給停止までの間維持される必要がある。２つの成分が混合されると、この２つの成分は作用し合って凝固するので、２つの成分を別個のバルブで別々に計量して供給する必要がある。しかしながら、バルブを正確に駆動して適切な開度で同時に開くのは困難な場合がある。
【課題を解決するための手段】
【０００４】
本発明の一形態によれば、配合供給ガンが、ガン本体、第１成分注入口、第２成分注入口、配合ヘッド部、第１バルブ、第２バルブ、挟持部材、及びトリガを備える。第１成分注入口は第１成分を注入するためにガン本体に取り付けられ、第２成分注入口は第２成分を注入するためにガン本体に取り付けられる。配合ヘッド部は、第１成分と第２成分とを供給する。第１バルブはガン本体に取り付けられ、第１成分の供給を制御する第１バルブステムを有する。第２バルブはガン本体に取り付けられ、第１バルブステムに平行な、第２成分の供給を制御する第２バルブステムを有する。挟持部材は上部部材と下部部材とを有し、第１バルブステム及び第２バルブステムは、上部部材と下部部材との間に配置される。上部部材は、第１バルブステム及び第２バルブステムが、自身の軸線と平行な方向でのバルブアクチュエータの動きに合わせて動くように、下部部材に組み付けられている。トリガはガン本体に取り付けられ、挟持部材の動きを制御する。
【０００５】
別の形態において、バルブ作動装置が、第１バルブと、第２バルブと、バルブアクチュエータとを備える。第１バルブは、第１成分の供給を制御する第１バルブステムを有する。第２バルブは、第１バルブステムと平行な、第２成分の供給を制御する第２バルブステムを有する。バルブアクチュエータはバルブステムに固定され、第１バルブステム及び第２バルブステムを一緒に動かすことによって、第１バルブ及び第２バルブを開く。バルブアクチュエータは、バルブアクチュエータを第１バルブステム及び第２バルブステムに取り付ける２つのスロットを有しており、これらスロットは、それぞれのバルブシステムの形状に対応した形をなしている。バルブアクチュエータは、止めねじを収容する２つの平行な孔も有している。
【０００６】
別の形態において、バルブ組立体が、トリガ、第１バルブ、第２バルブ、バルブアクチュエータ、第１押しピン、及び第２押しピンを備える。トリガは、第１カムと、第２カムとを有する。第１バルブは第１成分の供給を制御する第１バルブステムを備える。第２バルブは、第１バルブステムと平行な、第２成分の供給を制御する第２バルブステムを備える。バルブアクチュエータは、第１バルブステム及び第２バルブステムのための各スロットを有する第１の部分と、第１バルブステム及び第２バルブステムをそれぞれのスロットに固定する第２の部分とを備える。互いに平行な２つの押しピンは、第１カム、第２カム、及びバルブアクチュエータに接する。
【図面の簡単な説明】
【０００７】
【図１】バルブアクチュエータを備える配合供給ガンの斜視図である。
【図２Ａ】バルブアクチュエータが閉位置にある図１の配合供給ガンの上面図である。
【図２Ｂ】バルブアクチュエータが閉位置にある図１の配合供給ガンの側面図である。
【図３】バルブアクチュエータが開位置にある図１の配合供給ガンの側面図である。
【図４】バルブステムを有するバルブを示すバルブアクチュエータの分解図である。
【発明を実施するための形態】
【０００８】
図１には、配合供給ガン１０の斜視図を示している。図１には、配合供給ガン１０、ガン本体１２、バルブアクチュエータ１４、配合ヘッド部１６、トリガ１８、ハンドル２０、第１成分注入口２２、第２成分注入口２４、流体注入口２６、計量装置２８、第１成分Ｃ１、第２成分Ｃ２、及び流体Ｆが示されている。
【０００９】
配合供給ガン１０は、ガン本体１２と、配合ヘッド部１６と、ハンドル２０とを備える。配合ヘッド部１６はガン本体１２の前部に取り付けられており、ハンドル２０はガン本体１２の下部に取り付けられている。トリガ１８はガン本体１２に揺動可能に接続されており、バルブアクチュエータ１４はガン本体１２の上部に取り付けられている。バルブアクチュエータ１４は、ガン本体１２の上部に取り付けられた３つのバルブと連結されている（図４参照）。
【００１０】
ガン本体１２の後部には、第１成分注入口２２、第２成分注入口２４、及び流体注入口２６がある（第１成分注入口２２、第２成分注入口２４、及び流体注入口２６は図４に明確に示されている）。計量装置２８は、第１成分注入口２２、第２成分注入口２４、及び流体注入口２６を介して配合供給ガン１０に流体接続されている。計量装置２８は、第１成分Ｃ１と、第２成分Ｃ２と、流体成分Ｆとを加圧して配合供給ガン１０に供給する。
【００１１】
ユーザがトリガ１８を引くと、配合供給ガン１０が作動する。これにより、３つのバルブに連結されたバルブアクチュエータ１４（図４参照）が移動する。バルブアクチュエータ１４によって３つのバルブが開くと、第１成分Ｃ１、第２成分Ｃ２、及び流体Ｆが配合供給ガン１０内を移動し、配合ヘッド部１６から吐出される。配合ヘッド部１６は、流体下の助けを得ることにより、第１成分Ｃ１と第２成分Ｃ２とがぶつかり、配合供給ガン１６から吐出された後に混合されるように構成されている。加圧された流体Ｆは適切ないずれの流体でもよく、例示した実施形態において、流体Ｆは加圧空気である。
【００１２】
図１に示した配合供給ガン１０の部品及び構成により、凝固する化学反応を開始させるべく、第１成分Ｃ１と第２成分Ｃ２とを吐出して混合することが可能となる。バルブアクチュエータ１４は、第１成分Ｃ１と第２成分Ｃ２とが適切な比率で供給されるように、バルブの開度を調整する。図１に示しているのは本発明の一実施形態であり、代替実施形態もある。例えば、配合供給ガン１６は第１成分Ｃ１と第２成分Ｃ２とを内部で混合してもよい。このような実施形態において、流体Ｆは、吐出の際に混合物を生成するために使用可能である。
【００１３】
図２Ａには、配合供給ガン１０の上面図を示している。図２Ｂには、配合供給ガン１０の側面図を示している。図２Ａ、図２Ｂには、配合供給ガン１０、ガン本体１２、バルブアクチュエータ１４、トリガ１８、トリガアーム１８Ａ、１８Ｂ、ハンドル２０、トリガピボット３０Ａ、３０Ｂ、押しピン３１Ａ（ピンヘッド３２Ａと、ピンシャフト３３Ａとを有する）、押しピン３１Ｂ（ピンヘッド３２Ｂと、ピンシャフト３３Ｂとを有する）、及びトリガロック３４が示されている。図２Ａ、図２Ｂの説明は、同時に行うものとする。
【００１４】
前述したように、トリガ１８はガン本体１２に揺動可能に連結される。具体的には、トリガピボット３０Ａがガン本体１２の一方の側部に取り付けられ、トリガピボット３０Ｂがガン本体１２の他方の側部に取り付けられた状態にあり、トリガ１８はトリガピボット３０Ａ、３０Ｂに支持されて揺動する。トリガ１８はトリガアーム１８Ａ、１８Ｂを有している。トリガ１８はガン本体１２の真下から延び、トリガアーム１８Ａは、ガン本体１２の一方の側部を周って、トリガピボット３０Ａに揺動可能に連結されており、トリガアーム１８Ｂは、ガン本体１２の他方の側部を周って、トリガピボット３０Ｂに揺動可能に連結されている。トリガ１８の下部近傍にはトリガロック３４がある。トリガロック３４はハンドル２０に揺動可能に連結されており、図には下方位置にある状態で示されている。この位置において、トリガロック３４はトリガ１８の揺動を妨げる。
【００１５】
トリガ１８の上部近傍のトリガアーム１８Ａ、１８Ｂには、トリガピボット３０Ａ、３０Ｂの下側に２つのカム面がある。これらのカム面は、ガン本体１２の一側にある押しピン３１Ａと、ガン本体１２の他側にある押しピン３１Ｂとにそれぞれ接している。押しピン３１Ａはピンヘッド３２Ａとピンシャフト３３Ａとを有しており、押しピン３１Ｂはピンヘッド３２Ｂとピンシャフト３３Ｂとを有している。押しピン３１Ａ、３１Ｂは、実質的に互いに平行であり、ガン本体１２の軸受け内にピンシャフト３３Ａ、３３Ｂをスライド可能にしてそれぞれ配置されている。さらに、押しピン３１Ａ及び３１Ｂは実質的にピンシャフト３３Ａ及び３３Ｂに沿う同一平面上にある。ピンヘッド３２Ａはトリガアーム１８Ａ上のカムに接しており、ピンヘッド３２Ｂはトリガアーム１８Ｂ上のカムに接している。押しピン３１Ａはピンボール部３５Ａが、押しピン３１Ｂはピンボール部３５Ｂがバルブアクチュエータ１４とそれぞれ接しており（図４に示して後述する）、ピンボール部３５Ａはピンヘッド３２Ａの反対側となるピンシャフト３３Ａの先端であり、ピンボール部３５Ｂはピンヘッド３２Ｂの反対側となるピンシャフト３３Ｂの先端である。従って、押しピン３１Ａ、３１Ｂは、トリガ１８からバルブアクチュエータ１４まで力を伝えることができる。バルブアクチュエータ１４はガン本体１２の上部に取り付けられている。バルブアクチュエータ１４は、バルブアクチュエータ１４がガン本体１２に近付いた位置にあることにより明らかなように、図２Ａ、図２Ｂにおいて閉位置にある。
【００１６】
図１に示した配合供給ガン１０の部品及び構成により、トリガ１８が揺動可能となり、バルブアクチュエータ１４に機械的に接続可能となる。トリガ１８がバルブアクチュエータ１４を作動させる方法の詳細を、図３を参照しながら以下に述べる。
【００１７】
図３には、配合供給ガン１０の側面図を示している。図３には、配合供給ガン１０、ガン本体１２、バルブアクチュエータ１４、配合ヘッド部１６、トリガ１８、トリガアーム１８Ａ、ハンドル２０、トリガピボット３０Ａ、押しピン３１Ａ、ピンヘッド３２Ａ、ピンシャフト３３Ａ、及びトリガロック３４が示されている。配合供給ガン１０の部品間の関係は、図１〜図２Ｂを用いて述べたとおりである。但し、いくつかの部品の位置が変わっている。
【００１８】
具体的には、トリガロック３４は上方に回動され、トリガ１８を後方のハンドル２０に向かって揺動可能にする。トリガアーム１８Ａはピンヘッド３２Ａがスライド可能なカム面を有しているので、このような揺動が押しピン３１Ａを上方且つ後方にスライドさせ、バルブアクチュエータ１４を上方且つ後方に押しやる。図示しないが、同様の動きが配合供給ガン１０の他方の側部にも生じる。具体的には、トリガアーム１８Ｂが、トリガ１８の揺動によって押しピン３１Ａと平行な方向に押しピン３１Ｂを移動させる。例示した実施形態では、バルブアクチュエータがガン本体１２から離間した開位置にある。
【００１９】
図３に示した配合供給ガン１０の部品及び構成により、トリガ１８を引くことによってバルブアクチュエータ１４を移動させることが可能となる。図４を用いて詳細に後述するように、バルブアクチュエータのこのような動きが３つのバルブを調整する。これにより、第１成分Ｃ１、第２成分Ｃ２、及び流体Ｆが所望の比率で配合ヘッド部１６から供給可能となる。
【００２０】
図４は、バルブアクチュエータ１４の分解図を示している。図４には、ガン本体１２、バルブアクチュエータ１４、トリガ１８、トリガアーム１８Ｂ、トリガピボット３０Ｂ、押しピン３１Ａ、３１Ｂ、ピンヘッド３２Ｂ、ピンシャフト３３Ａ、３３Ｂ、ピンボール部３５Ａ、３５Ｂ、第１バルブ３６、第２バルブ３８、第３バルブ４０、第１バルブステム４２、第２バルブステム４４、第３バルブステム４６、アクチュエータ上部部材４８、アクチュエータ下部部材５０、止めねじ５２Ａ、５２Ｂ、止めねじ孔５４Ａ、５４Ｂ、アクチュエータねじ５６Ａ〜５６Ｄ、上部アクチュエータ孔５７Ａ〜５７Ｄ、下部アクチュエータ穴５８Ａ〜５８Ｄ、第１ステムスロット６０、第２ステムスロット６２、及び第３ステムスロット６４が示されている。
【００２１】
前述したように、トリガ１８のトリガアーム１８Ｂ（及び図示しないトリガアーム１８Ａ）は、トリガピボット３０Ｂでガン本体１２に揺動可能に接続されている。トリガアーム１８Ｂは、押しピン３１Ｂとピンヘッド３２Ｂで接触するカム面を有している。押しピン３１Ｂのピンシャフト３３Ｂは、ガン本体１２の孔にスライド可能に配置されている。ピンヘッド３２Ｂから遠い方のピンシャフト３３Ｂの端部は、ピンボール部３５Ｂとなっている。押しピン３１Ａのピンボール部３５Ａはガン本体１２の他側に示されている。
【００２２】
第１バルブ３６、第２バルブ３８、及び第３バルブ４０も、ガン本体１２に取り付けられている。第１バルブ３６、第２バルブ３８、及び第３バルブ４０は閉弁する方向に付勢されている。例示された実施形態の場合、第１バルブ３６、第２バルブ３８、及び第３バルブ４０は、バルブアクチュエータ１４が開弁させようとしない場合に、それらを閉弁させるスプリングを有している。第１バルブステム４２は第１バルブ３６にスライド可能に接続され、第２バルブステム４４は第２バルブ３８にスライド可能に接続され、第３バルブステム４６は第３バルブ４０にスライド可能に接続されている。第２バルブステム４４と第３バルブステム４６とは、第１バルブステム４２と実質的に平行である。さらに、第１バルブステム４２と、第２バルブステム４４と、第３バルブステム４６とは、実質的にそれぞれの長手方向に沿う同一平面状にある。例示した実施形態において、第１バルブステム４２は第１バルブ３６から突出する円筒状の部分を有しており、第２バルブステム４４は第２バルブ３８から突出する円筒状の部分を有しており、第３バルブステム４６は第３バルブ４０から突出する円筒状の部分を有している。第１バルブステム４２、第２バルブステム４４、及び第３バルブステム４６の残りの部分は、完全な円筒状ではなく２つの平行な平面を有している。
【００２３】
アクチュエータ下部部材５０は、第１ステムスロット６０、第２ステムスロット６２、第３ステムスロット６４、及び下部アクチュエータ穴５８Ａ〜５８Ｄを有しており、下部アクチュエータ穴５８Ａ〜５８Ｄは、ねじ山が形成され、第１ステムスロット６０、第２ステムスロット６２、及び第３ステムスロット６４と実質的に直角である。アクチュエータ下部部材５０は、第１バルブステム４２と、第２バルブステム４４と、第３バルブステム４６と接して配置されている。具体的には、第１バルブステム４２は、アクチュエータ下部部材５０の第１ステムスロット６０内に配置され、実質的に第１ステムスロット６０と平行である。第２バルブステム４４は、アクチュエータ下部部材５０の第２ステムスロット６２内に配置され、第２ステムスロット６２と実質的に平行である。第３バルブステム４６は、アクチュエータ下部部材５０の第３ステムスロット６４内に実質的に平行に配置される。従って、第１ステムスロット６０、第２ステムスロット６２、及び第３ステムスロット６４のそれぞれは、第１バルブステム４２、第２バルブステム４４、及び第３バルブステム４６の形状に対応し、湾曲した側面と平坦な底面とを有して形成される。
【００２４】
アクチュエータ上部部材４８は、一方の側部に止めねじ孔５４Ａを有し、他方の側部に止めねじ孔５４Ｂを有する。止めねじ５２Ａは止めねじ孔５４Ａと同軸に配置され、止めねじ５２Ｂは止めねじ孔５４Ｂと同軸に配置される。アクチュエータ上部部材４８は、止めねじ孔５４Ａ、５４Ｂに実質的に直角な上部アクチュエータ孔５７Ａ〜５７Ｄも有している。アクチュエータねじ５６Ａは上部アクチュエータ孔５７Ａ内、アクチュエータねじ５６Ｂは上部アクチュエータ孔５７Ｂ内、アクチュエータねじ５６Ｃは上部アクチュエータ孔５７Ｃ内、アクチュエータねじ５６Ｄは上部アクチュエータ孔５７Ｄ内にそれぞれ配置される。図示した分解図において、アクチュエータ上部部材４８はアクチュエータ下部部材５０の上方に配置される。具体的には、アクチュエータ上部部材４８は、上部アクチュエータ孔５７Ａが下部アクチュエータ穴５８Ａと同軸上に、上部アクチュエータ孔５７Ｂが下部アクチュエータ穴５８Ｂと同軸上に、上部アクチュエータ孔５７Ｃが下部アクチュエータ穴５８Ｃと同軸上に、及び上部アクチュエータ孔５７Ｄが下部アクチュエータ穴５８Ｄと同軸上に位置するように、それぞれ配置される。
【００２５】
バルブアクチュエータ１４の組み立ては、アクチュエータ下部部材５０に、第１バルブステム４２、第２バルブステム４４、及び第３バルブステム４６を配置することによって行われる（図４に示す）。そして、ピンシャフト３３Ａの一部とピンボール部３５Ａとが止めねじ孔５４Ａ内にスライド可能に配置され、ピンシャフト３３Ｂの一部とピンボール部３５Ｂとが止めねじ孔５４Ｂ内にスライド可能に配置された状態で、アクチュエータ上部部材４８がアクチュエータ下部部材５０に接して配置される。このときアクチュエータ上部部材４８は、上部アクチュエータ孔５７Ａが下部アクチュエータ穴５８Ａと、上部アクチュエータ孔５７Ｂが下部アクチュエータ穴５８Ｂと、上部アクチュエータ孔５７Ｃが下部アクチュエータ穴５８Ｃと、上部アクチュエータ孔５７Ｄが下部アクチュエータ穴５８Ｄとそれぞれ同軸上に位置するように配置される。アクチュエータねじ５６Ａは下部アクチュエータ穴５８Ａ内に、アクチュエータねじ５６Ｂは下部アクチュエータ穴５８Ｂ内に、アクチュエータねじ５６Ｃは下部アクチュエータ穴５８Ｃ内に、アクチュエータねじ５６Ｄは下部アクチュエータ穴５８Ｄ内にそれぞれ螺合して締めつけられる。図４に示す実施形態において、第１バルブステム４２は第１スロット６０の長さより、第２バルブステム４４は第２スロット６２の長さより、第３バルブステム４６は第３スロット６４の長さよりわずかに長い。第１スロット６０、第２スロット６２、及び第３スロット６４が形成された面でアクチュエータ上部部材４８がアクチュエータ下部部材５０に組み付けられると、第１バルブステム４２、第２バルブステム４４、及び第３バルブステム４６は、バルブアクチュエータ１４によってアクチュエータ上部部材４８とアクチュエータ下部部材５０との間で固定される。別の実施形態として、第１スロット６０、第２スロット６２、及び第３スロット６４を、アクチュエータ上部部材４８に形成してもよいし、アクチュエータ上部部材４８及びアクチュエータ下部部材５０にそれぞれ部分的に形成してもよい。
【００２６】
バルブアクチュエータ１４の組み立ては、止めねじ５２Ａを止めねじ孔５４Ａに、止めねじ５２Ｂを止めねじ孔５４Ｂにそれぞれ締結することによって引き続き行われる。止めねじ５２Ａはピンボール部３５Ａに接するまで、止めねじ５２Ｂはピンボール部３５Ｂに接するまでそれぞれ挿入される。止めねじ５２Ａはバルブアクチュエータ１４と押しピン３１Ａとの間の接点位置、止めねじ５２Ｂはバルブアクチュエータ１４と押しピン３１Ｂとの間の接点位置をそれぞれ調整するために利用可能である。これにより、例えばトリガ１８と、押しピン３１Ａ、３１Ｂと、アクチュエータ上部部材４８との間の寸法許容誤差の問題を緩和することができる。代替の実施形態として、止めねじ５２Ａはピンボール部３５Ａに、止めねじ５２Ｂはピンボール部３５Ｂにそれぞれ接しないように配置してもよい。但し、このような実施形態の場合、止めねじ５２Ａは、ピンボール部３５Ａからの距離が、止めねじ５２Ｂのピンボール部３５Ｂからの距離と実質的に同じになるようにアクチュエータ上部部材４８に取り付けられる。
【００２７】
例示した実施形態において、バルブアクチュエータ１４が組み立てられると、アクチュエータ上部部材４８とアクチュエータ下部部材５０との境界面は、第１バルブステム４２、第２バルブステム４４、及び第３バルブステム４６と実質的に平行になる。さらに、押しピン３１Ａ、３１Ｂは、第１バルブステム４２、第２バルブステム４４、及び第３バルブステム４６と実質的に平行だが、トリガ１８の枢軸（即ち、トリガピボット３０Ａ、３０Ｂ間の軸）は、第１バルブステム４２、第２バルブステム４４、及び第３バルブステム４６と実質的に直角になる。さらに、押しピン３１Ａ、３１Ｂと、第１バルブステム４２、第２バルブステム４４、及び第３バルブステム４６とは実質的に同一平面上にある。従って、この平面は、アクチュエータ上部部材４８とアクチュエータ下部部材５０との間の境界面と実質的に平行である。さらに、この平面はトリガ１８の枢軸と平行である。
【００２８】
前述のように、トリガ１８が引かれると、力がトリガアーム１８Ａ、１８Ｂからピンヘッド３２Ａ、３２Ｂに伝達され、さらに押しピン３１Ａを介しピンボール部３５Ａから止めねじ５２Ａに、また押しピン３１Ｂを介しピンボール部３５Ｂから止めねじ５２Ｂにそれぞれ伝達される。このような力により、押しピン３１Ａ、３１Ｂに沿ってバルブアクチュエータ１４がガン本体１２から軸線方向に離間するように移動する。このような動きは、第１バルブステム４２、第２バルブステム４４、及び第３バルブステム４６と平行である。バルブアクチュエータ１４は、第１バルブステム４２、第２バルブステム４４、及び第３バルブステム４６に固定されているので、第１バルブ３６、第２バルブ３８、及び第３バルブ４０が開く。第１バルブ３６、第２バルブ３８、及び第３バルブ４０が閉弁していたときに、バルブアクチュエータは、第１バルブステム４２、第２バルブステム４４、及び第３バルブステム４６に固定されているので、第１バルブ３６、第２バルブ３８、及び第３バルブ４０は全て同じ開度で開かれる。具体的には、第１バルブ３６、第２バルブ３８、及び第３バルブ４０は同時に開かれ、第２バルブステム４２、第２バルブステム４４、及び第３バルブステム４６は同じ距離だけ移動する。これにより、第１成分Ｃ１、第２成分Ｃ２、及び流体Ｆが配合供給ガン１０から供給可能となる。このようにして、バルブアクチュエータ１４は、第１バルブ３６、第２バルブ３８、及び第３バルブ４０の開弁時における進みや遅れを排除する。トリガ１８が離されると、力はバルブアクチュエータ１４に作用しなくなる。第１バルブ３６、第２バルブ３８、及び第３バルブ４０が閉じる方向に付勢されているので、第１バルブ３６、第２バルブ３８、及び第３バルブ４０が閉じる際に、第１バルブステム４２、第２バルブステム４４、及び第３バルブステム４６がバルブアクチュエータをガン本体に向けて引き込む。開弁時と同様に、第１バルブ３６、第２バルブ３８、及び第３バルブ４０は全て同時に閉じる。従って、第１バルブ３６、第２バルブ３８、及び第３バルブ４０が同じ吐出特性を有する実施形態の場合、トリガ１８を引いている間、同じ配合比が維持される。
【００２９】
止めねじ５２Ａ、５２Ｂの取付位置によって、トリガ１８からの力はバルブアクチュエータ１４の両側に均等に配分される。但し、代替の実施形態では、トリガ１８が前方にあるときに、止めねじ５２Ａは押しピン３１Ａと、止めねじ５２Ｂは押しピン３１Ｂとそれぞれ接していない。このような構成の場合、バルブアクチュエータ１４が移動する前にトリガ１８の動きに対していくらか遊びがあるが、トリガ１８が十分な量動いてしまうと、押しピン３１Ａは止めねじ５２Ａに、押しピン３１Ｂは止めねじ５２Ｂにそれぞれ同時に接することになる。その理由は、止めねじ５２Ａがピンボール部３５Ａから、止めねじ５２Ｂがピンボール部３５Ｂから実質的にそれぞれ等間隔を有して位置しているからである。従って、例示した実施形態の場合と同様に、第１成分Ｃ１、第２成分Ｃ２、及び流体Ｆの供給は同じ比率で行われる。
【００３０】
図４に示すようなガン本体１２及びバルブアクチュエータ１４の部品及び構成により、トリガ１８が引かれる量に関わらず維持される第１成分Ｃ１と第２成分Ｃ２との正確な配合比を得ることが可能となる（適切なバルブ構造と、例えば第１成分Ｃ１と第２成分Ｃ２との正確な加圧状態といった材料の適切な調整による）。同様に、流体Ｆに対する成分の正確な配合比率は、第１バルブ３６及び第２バルブ３８と同じ開度で第３バルブを開くことで維持可能である。さらに、この比率に影響を及ぼすことなく、バルブアクチュエータ１４を脱着することが可能である。その理由は、バルブアクチュエータ１４が取り外されたときに、第１バルブ３６、第２バルブ３８、及び第３バルブ４０は閉じており、バルブアクチュエータ１４が再び組み付けられるときにも、第１バルブ３６、第２バルブ３８、及び第３バルブ４０は閉じているからである。さらに、バルブアクチュエータ１４が、第１バルブステム４２、第２バルブステム４４、及び第３バルブステム４６を同時に動かすので、第１バルブ３６、第２バルブ３８、及び第３バルブ４０を開くのに十分な保持力を、バルブアクチュエータ１４が、第１バルブステム４２、第２バルブステム４４、及び第３バルブステム４６に対して有している限り、第１バルブステム４２、第２バルブステム４４、及び第３バルブステム４６に対するバルブアクチュエータ１４の正確な位置は重要でない。これは、止めねじ５２Ａの押しピン３１Ａからの距離が止めねじ５２Ｂの押しピン３１Ｂからの距離と同じであることにより、バルブアクチュエータ１４の両端の移動を同時且つ等距離で行うことができるからである。
【００３１】
図４には、本発明の一実施形態を示しており、代替の実施形態もある。例えば、アクチュエータ下部部材５０の第１ステムスロット６０、第２ステムスロット６２、及び第３ステムスロット６４はそれぞれ異なる形状としつつ、第１バルブステム４２、第２バルブステム４４、及び第３バルブステム４６に対応した形状としてもよい。具体的には、第１バルブステム４２、第２バルブステム４４、及び第３バルブステム４６が図４に示されているような形状なら、第１ステムスロット６０、第２ステムスロット６２、及び第３ステムスロット６４は、長方形とすることができる。別の例として、第１バルブステム４２、第２バルブステム４４、及び第３バルブステム４６は完全な円筒状、または円筒部と矩形部とを有していてもよい。このような実施形態において、第１ステムスロット６０は第１バルブステム４２、第２ステムスロット６２は第２バルブステム４４、及び第３ステムスロット６４は第３バルブステム４６の形状に対応するように構成される。さらなる例として、バルブアクチュエータ１４は、アクチュエータねじ５６Ａ〜５６Ｄの少なくとも１つが対応する下部アクチュエータ穴５８Ａ〜５８Ｄの少なくとも１つに部分的に螺合することによって、アクチュエータ上部部材４８とアクチュエータ下部部材５０とが組み付けられるようにして組み立てられてもよい。次に、全てのアクチュエータねじ５６Ａ〜５６Ｄを完全に締結する前に、半完成状態に組み立てられたバルブアクチュエータ１４を、第１バルブステム４２、第２バルブステム４４、及び第３バルブステム４６上に装着することができる。
【００３２】
本発明により多くの効果や利点が得られると理解されるべきである。例えば、配合供給ガン１０が組み立てられて止めねじ５２Ａ、５２Ｂが適度に調整されると、バルブアクチュエータ１４の着脱の際に、適切な配合比を維持するための調整は不要となる。
【００３３】
代表的な実施形態を参照して本発明を説明したが、本発明の範囲を逸脱することなく、種々の変更をしたり、各要素の等価物で代用したりすることが可能であることは当業者が容易に理解し得るものである。さらに、本発明の本質的な範囲から逸脱することなく、特定の状況や素材を本発明の教示に適合させるべく、様々な変更を行うことが可能である。従って、本発明は開示された特定の実施形態に限定されるものではなく、本発明は添付した特許請求の範囲内に属する全ての形態を含む。
【図１】
2013512766.tif 000003
【図２Ａ】
2013512766.tif 000004
【図２Ｂ】
2013512766.tif 000005
【図３】
2013512766.tif 000006
【図４】
2013512766.tif 000007
【国際調査報告】
2013512766.tif 000008
2013512766.tif 000009